(57)【要約】【課題】取付バネを備えるダウンライトを天板の裏面側から取り付けるのに有利となるダウンライト取付具を提供する。【解決手段】ダウンライト取付具１０は、ダウンライト１００の光照射口１０６ａを露出させる第１開口部２０ａを有し、ダウンライト１００の枠１０６を載置する第１平板２０と、第１平板２０を支持し、天板２０４に形成されている取付穴２０４ａに第１開口部２０ａを向かわせた状態で構造体２０２に接続される支持フレーム３０と、第１平板２０と対向し、第２開口部４０ａを有する第２平板４０と、第２開口部４０ａに貫通されているダウンライト１００の複数の取付バネ１０８と接触する内周壁４２とを含む環状部材１４と、第１平板２０と第２平板４０とが第１平板２０に載置されている枠１０６の鍔部１０６ｃを挟み込んだ状態で、第１平板２０に対して第２平板４０を保持させる締結部材２４とを備える。【選択図】図１
2020136212.tif 000002
【特許請求の範囲】
【請求項１】
互いに離間した構造体と天板とを含む天井に、枠から放射状に伸びる複数の取付バネを備えるダウンライトを取り付けるダウンライト取付具であって、
前記ダウンライトの光照射口を露出させる第１開口部を有し、前記ダウンライトの前記枠を載置する第１平板と、
前記第１平板を支持し、前記天板に形成されている取付穴に前記第１開口部を向かわせた状態で前記構造体に接続される支持フレームと、
前記第１平板と対向し、第２開口部を有する第２平板と、前記第２開口部に貫通されている前記ダウンライトの前記複数の取付バネと接触する内周壁とを含む環状部材と、
前記第１平板と前記第２平板とが前記第１平板に載置されている前記枠の鍔部を挟み込んだ状態で、前記第１平板に対して前記第２平板を保持させる締結部材と、
を備える、ダウンライト取付具。
【請求項２】
前記第１平板は、前記ダウンライトと接触する弾性シートを有する、請求項１に記載のダウンライト取付具。
【請求項３】
前記取付穴の開口径よりも小さい外径を有し、一方の開口端が前記第１平板と連続する筒体と、
前記筒体の他方の開口端と連続する内周部と、前記天板の露出面と対向する外周部とを含む第３平板を備える、請求項１又は２に記載のダウンライト取付具。
【請求項４】
前記第１平板の外周部は、前記天板の露出面と対向する、請求項１又は２に記載のダウンライト取付具。
【発明の詳細な説明】
【技術分野】
【０００１】
本開示は、ダウンライト取付具に関する。
【背景技術】
【０００２】
従来、天井埋込型の照明器具として、ダウンライトが存在する。ダウンライトは、一般的には、化粧面を有する天板に形成されている取付穴に照明領域側から埋め込まれることで、天板に取り付けられる。特許文献１は、このような照明領域側からのダウンライトの取り付けを想定して、ダウンライトの枠に複数備えられている取付バネを天板に係合させることで天板に取り付けられるダウンライトを開示している。
【先行技術文献】
【特許文献】
【０００３】
【特許文献１】特開２００９−１４０６５０号公報
【発明の概要】
【発明が解決しようとする課題】
【０００４】
特許文献１に開示されているような取付バネを備えるダウンライトは、照明領域側から取付穴に埋め込まれることで天板に取り付けられるものとしては、例えば、取り付け作業が容易となる点で有用である。一方で、天井の構造上、又は、照明領域側からの外観上などの要請から、照明領域側からではなく、天板の裏側、すなわち、建物内の天井部分を構成する構造体と天板とで挟まれた内部空間側からダウンライトを取り付けることが望まれる場合がある。上記のような取付バネを備えるダウンライトは、メーカーの標準品として一般に市場に流通している。そのため、天板の裏側からダウンライトを取り付ける場合でも、ユーザーの利便性から考えれば、入手しやすく又はコスト面で有利である標準品のダウンライトが採用可能であることが望ましい。しかし、取付バネを備えた標準品のダウンライトを天板の裏面側から取り付ける場合、取付バネを直接的に天板に係合させてダウンライトを取り付けることができない。
【０００５】
これに対して、従来、標準品のダウンライトを天板の裏面側から天井に取り付ける場合には、例えば、取付バネが単に放置されることも考えられ、この場合、周囲で生じた振動に起因して取付バネが異音を発生させることもあり得る。そこで、取付バネからの異音の発生を無くすために、標準品のダウンライトを天井に取り付ける前に、予めすべての取付バネを取り外すことも考えられる。しかし、このような取り外し作業には、時間と手間がかかる。
【０００６】
本開示は、このような従来技術の有する課題に鑑みてなされたものである。そして、本開示の目的は、取付バネを備えるダウンライトを天板の裏面側から取り付けるのに有利となるダウンライト取付具を提供することにある。
【課題を解決するための手段】
【０００７】
上記課題を解決するために、本開示の態様は、互いに離間した構造体と天板とを含む天井に、枠から放射状に伸びる複数の取付バネを備えるダウンライトを取り付けるダウンライト取付具であって、ダウンライトの光照射口を露出させる第１開口部を有し、ダウンライトの枠を載置する第１平板と、第１平板を支持し、天板に形成されている取付穴に第１開口部を向かわせた状態で構造体に接続される支持フレームと、第１平板と対向し、第２開口部を有する第２平板と、第２開口部に貫通されているダウンライトの複数の取付バネと接触する内周壁とを含む環状部材と、第１平板と第２平板とが第１平板に載置されている枠の鍔部を挟み込んだ状態で、第１平板に対して第２平板を保持させる締結部材と、を備える。
【発明の効果】
【０００８】
本開示によれば、取付バネを備えるダウンライトを天板の裏面側から取り付けるのに有利となるダウンライト取付具を提供することができる。
【図面の簡単な説明】
【０００９】
【図１】本開示の一実施形態に係るダウンライト取付具の使用状態を示す図である。
【図２】本開示の一実施形態に係るダウンライト取付具の本体部を示す図である。
【図３】本開示の一実施形態に係るダウンライト取付具の環状部材を示す図である。
【図４】ダウンライト取付具に含まれる筒体の他の形状を示す図である。
【発明を実施するための形態】
【００１０】
以下、各実施形態について図面を参照しつつ詳細に説明する。以下の説明では、鉛直方向をＺ方向と規定する。また、Ｚ方向に対して垂直となる平面内で互いに垂直となる２方向をＸ方向及びＹ方向と規定する。すなわち、ＸＹ平面は、水平面である。
【００１１】
図１は、一実施形態に係るダウンライト取付具１０の使用状態を示す側面図である。ただし、図１では、ダウンライト取付具１０の一部を断面図で表している。図１に示す使用状態では、ダウンライト１００は、天井２００に設置されている。
【００１２】
（ダウンライト）
ダウンライト１００は、天井埋込型の照明器具である。ダウンライト１００は、光源１０２等を含む器具本体１０４と、枠１０６とを備える。光源１０２は、例えば、ＬＥＤ（発光ダイオード）である。なお、ダウンライト１００は、不図示であるが、電源や調光器等を備えてもよい。
【００１３】
枠１０６は、光源１０２から発せられた光を外部に導く筒状部材である。枠１０６の一方の開口端は、器具本体１０４に接続される。枠１０６の他方の開口端は、照射光を照明領域Ｒに向けて照射する光照射口１０６ａである。光照射口１０６ａの形状は、本実施形態では円形である。枠１０６の開口断面積、及び、枠１０６の外壁１０６ｂの径は、それぞれ、器具本体１０４側の開口端から光照射口１０６ａに向かうにつれて徐々に大きくなる。以下、外壁１０６ｂの最大径をＤ１１と表記する。
【００１４】
枠１０６は、照明領域Ｒに向かって露出する鍔部１０６ｃを有する。鍔部１０６ｃは、環状の平板部材である。鍔部１０６ｃの内周部は、光照射口１０６ａが存在する枠１０６の他方の開口端に、一体的に接続されている。つまり、鍔部１０６ｃの内周径は、光照射口１０６ａの最大径と一致する。以下、鍔部１０６ｃの外周径をＤ１２と表記する。
【００１５】
また、枠１０６は、外壁１０６ｂから外側に向けて放射状に伸びる複数の取付バネ１０８を備える。取付バネ１０８は、枠１０６に連接している側の端部を基準として変形可能な板バネである。本実施形態では、枠１０６は、一例として、円周方向に等間隔で、３つの取付バネ１０８を備える。
【００１６】
（天井）
天井２００は、例えば、建物内や、鉄道等の輸送車両内にある天井である。以下、本実施形態では、天井２００が建物の室内の天井であるものとする。天井２００は、構造体２０２と、天板２０４とを含む。構造体２０２は、建物の天井側にある内部構造の一部である。通常、構造体２０２は、室内にいる人からは視認されない。天板２０４は、照明領域Ｒである室内に露出する露出面２０４ｂを化粧面とする平板である。本実施形態における天板２０４は、構造体２０２の表面と平行に、かつ、構造体２０２から間隔Ｌ１だけ離間して設置される。構造体２０２と天板２０４との間に形成される空間が、内部空間Ｓである。
【００１７】
また、天板２０４は、ダウンライト１００の設置位置に対応した部分に取付穴２０４ａを有する。一般に、ダウンライトが天井に設置されるときには、ダウンライトは、天板に形成されている穴に対して照明領域Ｒ側から挿入されるので、天板に形成されている穴を挿入穴という場合が多い。これに対して、本実施形態では、ダウンライト１００は、内部空間Ｓ側から取り付けられるので、天板２０４に形成されている穴を貫通穴と表現する。以下、取付穴２０４ａの開口径をＤと表記する。
【００１８】
（ダウンライト取付具）
ダウンライト取付具１０は、天井２００にダウンライト１００を取り付ける際に用いられる。ダウンライト取付具１０は、本体部１２と、環状部材１４とを備える。
【００１９】
図２は、本体部１２の構成を示す斜視図である。本体部１２は、第１平板２０と、支持フレーム３０とを有する。
【００２０】
第１平板２０は、ダウンライト１００の枠１０６を載置する環状の板部である。ダウンライト１００は、基本的に、光源１０２がＺ方向に沿って光を射出するように天井２００に設置される。このとき、枠１０６に関しては、ダウンライト１００が天井２００に設置されている状態では、光照射口１０６ａはＺ方向に沿って開放され、環状の鍔部１０６ｃはＸＹ平面と平行な姿勢に維持される。つまり、第１平板２０は、ＸＹ平面に沿った平板とみなされ、Ｚ方向上方の平面上に鍔部１０６ｃを載置することで、結果として、枠１０６引いてはダウンライト１００全体を載置することになる。
【００２１】
本実施形態では、第１平板２０は、円環状であるものとする。以下、第１平板２０の外周径をＤ２１と表記する。一方、第１平板２０の内周径をＤ２２と表記する。内周径Ｄ２２で規定される開口領域が第１開口部２０ａである。第１平板２０に枠１０６が載置されている状態では、第１開口部２０ａは、ダウンライト１００の光照射口１０６ａを、ダウンライト１００を載置している側とは反対側、すなわち照明領域Ｒ側に露出させる。第１平板２０の外周径Ｄ２１は、取付穴２０４ａの開口径Ｄよりも小さい。
【００２２】
また、第１平板２０は、枠１０６が載置されたときに、枠１０６と接触する弾性シート２２を有する。弾性シート２２は、例えば、ゴムや樹脂等の弾性を有する材料で形成される環状のシートである。弾性シート２２の内周径は、例えば、第１開口部２０ａの内周径Ｄ２２と同等である。弾性シート２２の外周径は、例えば、後述する複数のボルト２４ａと干渉しない程度の大きさである。弾性シート２２は、その内周と第１開口部２０ａとが合うように、第１平板２０上に貼り付けられる。
【００２３】
さらに、第１平板２０は、複数のボルト２４ａと、それぞれのボルト２４ａに係合する複数のナット２４ｂと含む締結部材２４を有する。複数のボルト２４ａは、それぞれ、第１平板２０上からＺ方向上方に延伸する。複数のボルト２４ａの一端は、それぞれ、第１平板２０上に溶接等により固定される。本実施形態では、ボルト２４ａは、第１平板２０のＸＹ平面の中心軸を基準として、一例として、等間隔で４つある。以下、複数のボルト２４ａが配置される仮想円の径をＤ２３と表記する。
【００２４】
また、本体部１２は、筒体２６を備える。筒体２６の一方の開口端は、第１平板２０の一部と連続する。例えば、筒体２６の一方の開口端は、第１平板２０の外周端と連続してもよい。この場合、第１平板２０の外周径Ｄ２１は、上記のとおり、取付穴２０４ａの開口径Ｄよりも小さいので、筒体２６の外径も、取付穴２０４ａの開口径Ｄよりも小さいことになる。なお、筒体２６は、第１平板２０と一体成形されていてもよいし、当初別体であった第１平板２０に対して溶接等により接合されてもよい。
【００２５】
さらに、本体部１２は、環状の第３平板２８を備える。第３平板２８の内周部は、筒体２６の他方の開口端と連続する。第３平板２８の外周部は、天板２０４の露出面２０４ｂとＺ方向で対向する。以下、第３平板２８の外周径をＤ２４と表記する。第３平板２８の外周径Ｄ２４は、取付穴２０４ａの開口径Ｄよりも大きい。なお、第３平板２８は、筒体２６と一体成形されていてもよいし、当初別体であった筒体２６に対して溶接等により接合されてもよい。
【００２６】
支持フレーム３０は、天井２００の構造体２０２に対して、ダウンライト１００を支持させる。具体的には、支持フレーム３０は、第１平板２０を支持する。併せて、支持フレーム３０は、取付穴２０４ａに第１開口部２０ａを向かわせた状態で、構造体２０２に接続可能とする。
【００２７】
例えば、支持フレーム３０は、複数の支柱部３１と、連結部３２とを含むものとしてもよい。この場合、複数の支柱部３１は、それぞれ、第１平板２０のダウンライト１００が載置される側の表面上からＺ方向上方に延伸する。つまり、支柱部３１の一端は、それぞれ、第１平板２０の表面に、例えば溶接等により接続される。支柱部３１の他端は、それぞれ連結部３２に、例えば溶接等により接続される。ここで、支持フレーム３０は、第１平板２０上にダウンライト１００を載置させるときの妨げとなってはならない。また、支持フレーム３０は、複数の締結部材２４に関して、ボルト２４ａにナット２４ｂを取り付けるときの妨げとなってはならない。そこで、本実施形態では、支柱部３１は、第１平板２０のＸＹ平面の中心軸を基準として、一例として、Ｙ方向で互いに対向するように２つある。つまり、２つの支柱部３１が互いに向かい合う間の領域に、ダウンライト１００が配置されることになる。また、それぞれの支柱部３１のＺ方向の高さは、ダウンライト１００のＺ方向の長さよりも高い。このように支柱部３１が２つある場合、連結部３２は、一端が一方の支柱部３１の上端に接続され、他端が他方の支柱部３１の上端に接続される柱部材であってもよい。つまり、連結部３２は、それぞれの支柱部３１によって、第１平板２０と同様に、ＸＹ平面に対して平行に維持される。
【００２８】
支柱部３１又は連結部３２の具体的な形状は、特に限定されるものではない。例えば、支柱部３１又は連結部３２は、それぞれ、強度を向上させるために、図２に示すように、溝形鋼に類似する形状に金属板を折り曲げて加工された部材であってもよい。連結部３２は、例えば延伸方向であるＹ方向の中心部に、天井への固定に用いられる貫通穴３２ａを有する。また、連結部３２には、例えば撓みの発生を抑えるために、補強板３３が重ね合わされていてもよい。
【００２９】
ダウンライト取付具１０が天井２００に設置されるときには、連結部３２に形成されている貫通穴３２ａに、例えば、連結部固定用ボルト２０８が貫通される。連結部固定用ボルト２０８は、図１に示すように、一端が構造体２０２に固定されている延長部材２０６の他端に固定されているものであってもよい。又は、連結部固定用ボルト２０８は、一端が構造体２０２に直接固定されているものであってもよい。連結部固定用ボルト２０８には、例えば、２つのナット２１０とワッシャー２１２とが係合可能である。
【００３０】
図３は、環状部材１４の形状を示す斜視図である。環状部材１４は、ダウンライト１００を保持し、かつ、締結部材２４を介して第１平板２０に保持される。環状部材１４は、第２平板４０と、内周壁４２とを有する。
【００３１】
第２平板４０は、ダウンライト取付具１０にダウンライト１００を取り付けたときに、第１平板２０と対向する環状の板部である。以下、第２平板４０の外周径をＤ３１と表記する。一方、第２平板４０の内周径をＤ３２と表記する。内周径Ｄ３２で規定される開口領域が第２開口部４０ａである。第２平板４０は、第１平板２０に固定されている締結部材２４のボルト２４ａをそれぞれ貫通可能とする複数の貫通穴４０ｂを有する。つまり、本実施形態では、貫通穴４０ｂが、第１平板２０のＸＹ平面の中心軸を基準として、等間隔に、かつ、径Ｄ２３の仮想円上に４つある。また、第２平板４０の外周径Ｄ３１は、環状部材１４が第１平板２０上に配置されるときに複数の支柱部３１のそれぞれに干渉しないように規定される。
【００３２】
第２開口部４０ａは、ダウンライト１００を貫通させることが可能な大きさを有する。ただし、器具本体１０４や枠１０６の外壁１０６ｂは、第２開口部４０ａを完全に貫通可能であるが、枠１０６の鍔部１０６ｃは、第２開口部４０ａを貫通することができない。つまり、第２平板４０の内周径Ｄ３２は、枠１０６における外壁１０６ｂの最大径Ｄ１１よりも大きく、鍔部１０６ｃの外周径Ｄ１２よりも小さい。
【００３３】
内周壁４２は、第２平板４０の内周領域と連続する筒状の壁部である。内周壁４２の内径は、本実施形態では第２平板４０の内周径Ｄ３２と一致する。図１に示すように、ダウンライト１００が第２開口部４０ａを貫通し、第２平板４０と鍔部１０６ｃとが接触した状態では、ダウンライト１００の複数の取付バネ１０８は、内周壁４２に接触する。このようにダウンライト１００が環状部材１４に保持されている状態を、以下、単に「保持状態」という。特に保持状態では、それぞれの取付バネ１０８は、内周壁４２と接触することで、ダウンライト１００の外側から内側に向かう方向へ変形する。つまり、内周壁４２は、複数の取付バネ１０８のそれぞれから押圧されることになる。
【００３４】
上記説明したダウンライト取付具１０を構成する各要素の材質は、基本的には金属である。ただし、強度や接続構造等が許容される範囲において、一部の材料は、金属とは異なる材料、例えば樹脂であってもよい。
【００３５】
次に、ダウンライト取付具１０を用いた、天井２００へのダウンライト１００の取り付けについて説明する。
【００３６】
まず、作業者は、ダウンライト取付具１０の本体部１２のみを、照明領域Ｒ側から天板２０４の取付穴２０４ａを通じて内部空間Ｓに収容する。このとき、本体部１２は、支持フレーム３０を先端側として挿入される。次に、作業者は、支持フレーム３０を天井２００の構造体２０２に固定させる。例えば、図１に示すように、構造体２０２には予め延長部材２０６が取り付けられており、かつ、延長部材２０６の先端部には、連結部固定用ボルト２０８が固定されているものとする。この場合、作業者は、支持フレーム３０の連結部３２に形成されている貫通穴３２ａに連結部固定用ボルト２０８を貫通させた後、ワッシャー２１２と２つのナット２１０とを用いて締結することで、構造体２０２に対して本体部１２を固定することができる。
【００３７】
本体部１２における筒体２６の外径は、取付穴２０４ａの開口径Ｄよりも小さいので、筒体２６は、本体部１２の収容に合わせて取付穴２０４ａに進入する。一方、本体部１２における第３平板２８の外周径Ｄ２４は、取付穴２０４ａの開口径Ｄよりも大きいので、第３平板２８は、取付穴２０４ａに進入することはできない。ここで、延長部材２０６の長さは、構造体２０２と天板２０４との間隔Ｌ１を考慮して、構造体２０２に対して支持フレーム３０を固定したときに、第３平板２８と天板２０４の露出面２０４ｂとが接触する程度に規定される。これにより、天井２００に本体部１２が取り付けられた後には、取付穴２０４ａは、照明領域Ｒ側にいる人から視認されない。なお、延長部材２０６を採用しない場合には、例えば、本体部１２のＺ方向の高さが、構造体２０２と天板２０４との間隔Ｌ１を考慮して規定されてもよい。
【００３８】
次に、作業者は、環状部材１４をダウンライト１００に取り付ける。具体的には、作業者は、すべての取付バネ１０８を枠１０６側に押さえ付けることで、放射状に広がっている状態を閉じた状態に一旦変形させ、器具本体１０４側から枠１０６側に向かう方向でダウンライト１００を第２開口部４０ａに貫通させる。ダウンライト１００が第２開口部４０ａを貫通していくと、鍔部１０６ｃが第２平板４０の表面と接触する。最後に、作業者は、取付バネ１０８の枠１０６側への押さえ付けを解除する。このときの環状部材１４の状態が保持状態である。保持状態にある環状部材１４では、一部分である第２平板４０が鍔部１０６ｃと接触し、かつ、その他の一部分である内周壁４２がそれぞれの取付バネ１０８から押圧されている。したがって、保持状態となった環状部材１４は、ダウンライト１００がいかなる姿勢になったとしても、ダウンライト１００から脱落しづらくなる。
【００３９】
次に、作業者は、保持状態の環状部材１４を、内部空間Ｓ側から、すでに構造体２０２に固定されている本体部１２に取り付ける。第１に、作業者は、環状部材１４に保持されているダウンライト１００を、本体部１２の第１平板２０上に貼り付けられている弾性シート２２上に載置する。このとき、弾性シート２２には、ダウンライト１００の鍔部１０６ｃが接触することになる。また、作業者は、ダウンライト１００の載置に合わせて、環状部材１４にある複数の貫通穴４０ｂに、第１平板２０に固定されているボルト２４ａをそれぞれ貫通させる。これにより、鍔部１０６ｃの少なくとも一部は、Ｚ方向で、本体部１２側の第１平板２０と環状部材１４側の第２平板４０とに挟まれる。第２に、作業者は、それぞれのボルト２４ａにナット２４ｂを締結させることで、第１平板２０に対して第２平板を押し付けて固定する。第１平板２０と第２平板４０とに挟まれている鍔部１０６ｃは、第２平板４０による押圧より第１平板２０側に常時押し付けされることになる。最終的に、作業者は、不図示の電源や調光器等を内部空間Ｓに設置して、天井２００へのダウンライト１００の取り付けを完了する。
【００４０】
次に、ダウンライト取付具１０による効果について説明する。
【００４１】
本実施形態に係るダウンライト取付具１０は、互いに離間した構造体２０２と天板２０４とを含む天井２００に、枠１０６から放射状に伸びる複数の取付バネ１０８を備えるダウンライト１００を取り付ける。ダウンライト取付具１０は、ダウンライト１００の光照射口１０６ａを露出させる第１開口部２０ａを有し、ダウンライト１００の枠１０６を載置する第１平板２０を備える。ダウンライト取付具１０は、第１平板２０を支持し、天板２０４に形成されている取付穴２０４ａに第１開口部２０ａを向かわせた状態で構造体２０２に接続される支持フレーム３０を備える。ダウンライト取付具１０は、第１平板２０と対向し、第２開口部４０ａを有する第２平板４０と、第２開口部４０ａに貫通されているダウンライト１００の複数の取付バネ１０８と接触する内周壁４２とを含む環状部材１４を備える。また、ダウンライト取付具１０は、第１平板２０と第２平板４０とが第１平板２０に載置されている枠１０６の鍔部１０６ｃを挟み込んだ状態で、第１平板２０に対して第２平板４０を保持させる締結部材２４を備える。
【００４２】
本実施形態では、ダウンライト１００は、支持フレーム３０を介して天井２００側に支持されている第１平板２０上に載置される。そのため、ダウンライト取付具１０は、構造体２０２と天板２０４との間に形成される内部空間Ｓ側から、すなわち、天板２０４の裏面側からダウンライト１００を取り付けることができる。
【００４３】
また、本実施形態では、ダウンライト１００を第１平板２０上に保持させるために、第１平板２０と対向する第２平板４０を有する環状部材１４を採用する。環状部材１４は、第１平板２０に載置されているダウンライト１００の鍔部１０６ｃを第２平板４０で挟み込むことで、第１平板２０に対して鍔部１０６ｃを固定する。したがって、天井２００に取り付けられた後のダウンライト１００を、安定した姿勢で保持させることができる。
【００４４】
また、本実施形態では、締結部材２４を介して第１平板２０に対して鍔部１０６ｃを固定するのに用いられる部材は、環状部材１４のみである。従来、ダウンライト１００を内部空間Ｓ側から取り付けようとした場合、取付具に対してダウンライト１００を固定するには、例えば、締結部材２４の個数分の取付金具を準備し、作業者が１つ１つの取付金具を取り付ける場合があった。これに対して、本実施形態によれば、従来の複数の取付金具に代えて環状部材１４のみを準備すればよいので、ダウンライト取付具１０全体として、各構成要素の準備が容易となる。
【００４５】
また、本実施形態では、ダウンライト１００を第１平板２０に載置させるに際して、予め、環状部材１４の内周壁４２にダウンライト１００の複数の取付バネ１０８を接触させる。取付バネ１０８は付勢力を有することから、内周壁４２は、それぞれの取付バネ１０８から常時押圧されることになり、ダウンライト１００は、環状部材１４に対して姿勢を維持しながら安定して保持される。これにより、ダウンライト取付具１０にダウンライト１００を取り付けるときには、ダウンライト１００がいかなる姿勢になっても、環状部材１４がダウンライト１００から脱落しづらくなるので、作業者の作業性を向上させることができる。一方、ダウンライト取付具１０にダウンライト１００が取り付けられた後では、取付バネ１０８は、内周壁４２を常時押圧しているので、例えば、周囲で生じた振動に起因して異音を発生させることを抑えることができる。
【００４６】
従来、このような取付バネからの異音の発生を回避するために、複数の取付バネを備えた標準品のダウンライトを内部空間Ｓ側から取り付ける場合には、取り付け作業の前に、ダウンライトから予めすべての取付バネが取り外されていた。つまり、ダウンライトの取り付け作業では、取付バネの取り外し作業分、多くの時間と手間がかかっていた。これに対して、本実施形態におけるダウンライト取付具１０では、ダウンライト１００として、取付バネ１０８を備えた標準品のダウンライトをそのまま採用することができるので、ダウンライト１００の取り付け作業をより簡略化させることができる。
【００４７】
また、上記の例示では、ダウンライト１００が３つの取付バネ１０８を備えるものと仮定した。ここで、ダウンライト取付具１０では、環状部材１４の内周壁４２が取付バネ１０８と接触するので、取付バネ１０８の個数を問わない。つまり、例えば、ダウンライト１００が２つの取付バネ１０８を備える標準品のダウンライトであっても、ダウンライト取付具１０に大幅な改良を施すことなく利用することができる。
【００４８】
このように、本実施形態によれば、取付バネ１０８を備えるダウンライト１００を天板２０４の裏面側から取り付けるのに有利となるダウンライト取付具１０を提供することができる。
【００４９】
また、ダウンライト取付具１０では、第１平板２０は、ダウンライト１００と接触する弾性シート２２を有してもよい。
【００５０】
枠１０６の鍔部１０６ｃは、第１平板２０と第２平板４０とに挟み込まれ、かつ、締結部材２４による締結により押圧される。これに対して、このようなダウンライト取付具１０によれば、鍔部１０６ｃは、第１平板２０に直接接触するのではなく、弾性シート２２を介して接触することになる。そして、弾性シート２２は、第１平板２０と第２平板４０とによる押圧力を吸収し分散させることができるので、鍔部１０６ｃの破損を回避するように保護することができる。
【００５１】
また、ダウンライト取付具１０は、取付穴２０４ａの開口径Ｄよりも小さい外径を有し、一方の開口端が第１平板２０と連続する筒体２６を備えてもよい。また、ダウンライト取付具１０は、筒体２６の他方の開口端と連続する内周部と、天板２０４の露出面２０４ｂと対向する外周部とを含む第３平板２８を備えてもよい。
【００５２】
このようなダウンライト取付具１０によれば、天井２００にダウンライト取付具１０が取り付けられた後には、筒体２６及び第３平板２８により、取付穴２０４ａが照明領域Ｒ側にいる人から視認されなくなるので、外観上、有利となる。
【００５３】
ここで、上記の例示では、天井２００を構成する天板２０４は、水平面上に配置されている構造体２０２と平行であるものとした。これに対して、本実施形態に係るダウンライト取付具１０は、筒体２６及び第３平板２８の形状を異ならせることで、水平面に対して傾斜したような天井にも設置可能である。
【００５４】
図４は、一例として、天井２００を構成する第２天板２１４が水平面に対してＸ方向に角度θ分傾斜している場合のダウンライト取付具１０の使用状態を示す側面図である。なお、図４は、図１の描画に対応しており、図１に示すダウンライト取付具１０と同一構成のものには同一の符号を付し、説明を省略する。図１と同様に、天井２００を構成する構造体２０２は水平面上にあり、ダウンライト１００も水平配置が維持されている。そのため、第１平板２０も、図１と同様に、ダウンライト１００の設置姿勢に合わせて水平面に対して平行である。
【００５５】
図４に示すダウンライト取付具１０では、筒体５６及び第３平板５８の形状が、図１に示すダウンライト取付具１０の筒体２６及び第３平板２８の形状とそれぞれ異なる。ここで、図１及び図４における第１平板２０の外周径Ｄ２１、すなわち、筒体２６と筒体５６との外径寸法が、互いに同一であると仮定する。まず、第３平板５８の外周部は、第２天板２１４の露出面２１４ｂとＺ方向で対向する。また、第２天板２１４の傾斜に伴って取付穴２１４ａも傾斜し、これに伴い、第３平板５８も、水平面に対してＸ方向に角度θ分傾斜する。つまり、取付穴２１４ａの開口形状、及び、第３平板５８の外周形状も、それぞれ楕円となる。そのため、この場合の取付穴２１４ａの開口径Ｄ、及び、第３平板５８の外周径Ｄ２４は、厳密には、楕円の長軸寸法となる。第３平板５８の開口形状は、取付穴２１４ａの開口形状よりも大きい。
【００５６】
また、筒体５６の一方の開口端は、第１平板２０の一部と連続する。一方、筒体５６の他方の開口端では、連続する第３平板５８の姿勢に伴い、Ｚ方向の高さが最も低い位置において、第１平板２０からの距離が最も長いＨ１１となり、Ｚ方向の高さが最も高い位置において、第１平板２０からの距離が最も短いＨ１２となる。つまり、筒体５６の他方の開口端の形状も楕円となる。したがって、筒体５６の外径は、取付穴２１４ａに貫通可能な程度の寸法となる。
【００５７】
なお、上記説明では、図１に示す本体部１２において、第１平板２０には、筒体２６が備えられているものとしたが、本実施形態におけるダウンライト取付具１０は、このような筒体を必須の構成とするものではない。例えば、第１平板２０は、第３平板２８を兼ねてもよい。具体的には、図１に示すダウンライト取付具１０において、筒体２６及び第３平板２８を削除し、第１平板２０の外周部を天板２０４の露出面２０４ｂと対向するように改変することも可能である。この場合、第１平板２０外周径Ｄ２１を、元の第３平板２８の外周径Ｄ２４と同等に規定する。このような構成によれば、ダウンライト取付具１０が天井２００に設置された際には、第１平板２０が、取付穴２０４ａを塞ぐことになるので、ダウンライト取付具１０の構成をより簡略化させることができる。
【００５８】
以上、好ましい実施形態について説明したが、本実施形態は、これ限定されず、その要旨の範囲内で種々の変形及び変更が可能である。
【符号の説明】
【００５９】
１０    ダウンライト取付具
１４    環状部材
２０    第１平板
２０ａ  第１開口部
２２    弾性シート
２４    締結部材
２８    第３平板
３０    支持フレーム
４０    第２平板
４０ａ  第２開口部
４２    内周壁
【図１】
2020136212.tif 000003
【図２】
2020136212.tif 000004
【図３】
2020136212.tif 000005
【図４】
2020136212.tif 000006